(57)【要約】【課題】  従来の冷凍空調装置は、ショーケースの冷蔵負荷、冷凍負荷が増加した場合に、冷凍能力を増加させためには多大な工事が発生するという問題点があった。【解決手段】  本発明の冷凍装置の冷蔵、冷凍熱源ユニット１２は、圧縮機２１と、凝縮器２７と、液溜２６とをこの順序に配管接続し、また、圧縮機２１の上流側及び液溜２６の下流側に、それぞれ、配管を接続し、これらの配管の端部にショーケース１３等の負荷への入口側及び出口側となる負荷側操作口３７を有し、凝縮器２７及び液溜２６の間の配管及び液溜２６及び負荷側接続口３７の間の配管のうち、少なくとも一方の配管に、それぞれ、拡張ユニット３３への入口側及び出口側となる拡張ユニット取付用接続口３６を設けたものである。【選択図】図２
2006207989.tif 000002
【特許請求の範囲】
【請求項１】
圧縮機と、凝縮器と、液溜とをこの順序に配管接続し、また、前記圧縮機の上流側及び前記液溜の下流側に、それぞれ、配管を接続し、これらの配管の端部にショーケース等の負荷への入口側及び出口側となる負荷側接続口を有した冷蔵、冷凍熱源ユニットにおいて、
前記凝縮器及び前記液溜の間の配管及び前記液溜及び前記負荷側接続口の間の配管のうち、少なくとも一方の配管に、それぞれ、流れる冷媒を冷却する熱交換器を備えた拡張ユニットへの入口側及び出口側となる拡張ユニット接続口を設けたことを特徴とする冷蔵、冷凍熱源ユニット。
【請求項２】
前記拡張ユニット接続口は、配管の接続、取外しが機械的または熱的に着脱自在なものであることを特徴とする請求項１に記載の冷蔵、冷凍熱源ユニット。
【請求項３】
前記拡張ユニット接続口の間の配管を取外し、該拡張ユニット接続口に、それぞれ、拡張ユニットの入口側配管及び出口側配管を取付け、前記拡張ユニットを接続したことを特徴とする請求項１又は請求項２に記載の冷蔵、冷凍熱源ユニット。
【請求項４】
前記拡張ユニットは、拡張用熱交換器と送風機とを備え、該拡張用熱交換器において、流れる冷媒を空気で冷却することを特徴とする請求項３に記載の冷蔵、冷凍熱源ユニット。
【請求項５】
前記拡張ユニットは、拡張用熱交換器を備え、該拡張用熱交換器において、流れる冷媒を水、ブラインまたは別の冷媒で冷却することを特徴とする請求項３に記載の冷蔵、冷凍熱源ユニット。
【請求項６】
前記拡張ユニットは、前記圧縮機、前記凝縮器、前記液溜及び前記負荷側操作弁を収容する筐体とは別の筐体に収容されることを特徴とする請求項３〜請求項５のいずれかの請求項に記載の冷蔵、冷凍熱源ユニット。
【請求項７】
前記圧縮機にインバータを接続し、前記圧縮機の電動機の回転速度を可変とし、前記圧縮機の容量を増加可能としたことを特徴とする請求項１〜請求項６のいずれかの請求項に記載の冷蔵、冷凍熱源ユニット。
【請求項８】
請求項３〜請求項７のいずれかの請求項に記載の前記冷蔵、冷凍熱源ユニットと前記ショーケース等の負荷とを前記負荷側接続口により配管接続したことを特徴とする冷凍装置。
【請求項９】
１台の前記拡張ユニットを接続した請求項３に記載の冷蔵、冷凍熱源ユニット及び前記ショーケース等の負荷を前記負荷側接続口により配管接続し、前記ショーケース等を冷却する冷凍装置と、空調用圧縮機及び空調熱源用熱交換器等を有する空調熱源ユニット並びに空調室内用熱交換器等を有する空調利用ユニットからなり、室内を空調する空調装置とを備えた冷凍空調装置であって、
前記冷凍装置の高圧液冷媒または高圧二相冷媒と、前記空調装置の低圧二相冷媒とが前記拡張ユニットの拡張用熱交換器で熱交換することを特徴とする冷凍空調装置。
【請求項１０】
前記拡張ユニットを、前記冷凍装置の前記冷蔵、冷凍熱源ユニットの筐体又は前記空調装置の前記空調熱源ユニットの筐体に内蔵させたことを特徴とする請求項９に記載の冷凍空調装置。
【発明の詳細な説明】
【技術分野】
【０００１】
本発明は、コンビニエンスストア等の店舗等に使用する冷蔵、冷凍熱源ユニット及びこれを使用する冷凍装置、冷凍空調装置に関するものであり、特に、冷蔵負荷、冷凍負荷の増加に対応して冷凍能力を増加させることに関するものである。
【背景技術】
【０００２】
従来の冷凍能力を増加させた冷凍空調装置としては、圧縮機を複数設け、室外ユニット、空調用の室内ユニット、冷蔵用の冷蔵ユニット及び冷凍用の冷凍ユニット等を同じ冷媒を循環させる１つの冷凍サイクルで構成し、例えば、暖房冷凍運転において、冷蔵ユニットと冷凍ユニットとの冷却能力（蒸発熱量）と、室内ユニットと床暖房回路の暖房能力（凝縮熱量）とがバランスし、１００％の熱回収を行う冷凍装置がある（例えば、特許文献１参照）。
【０００３】
また、圧縮機と熱交換器をそれぞれ備えた２つの独立した流路を持ち、それぞれの冷媒が室外熱交換器で両配管の熱接触による熱回収をしながら周囲の空気と熱交換する構成の冷凍空調装置がある（例えば、特許文献２参照）。
【０００４】
また、圧縮機、熱源側熱交換器及び利用側熱交換器等から構成され、利用側熱交換器により室内空調を行う空調用冷媒回路と、圧縮機、凝縮器及び蒸発器等から構成され、蒸発器により冷却貯蔵設備の庫内冷却を行う冷却貯蔵設備用冷媒回路とを備え、空調用冷媒回路の低圧側と冷却貯蔵設備用冷媒回路の高圧側とを熱交換させるカスケード熱交換器を設けた冷凍システムがある（例えば、特許文献３参照）。
【０００５】
【特許文献１】特開２００２−３５７３６７号公報（第３頁〜第８頁、図１、図７）
【特許文献２】特開２００１−２８９５３２号公報（第９頁、第１０頁、図１２）
【特許文献３】特開２００４−１７０００１号公報（第６頁〜第１０頁、図１）
【発明の開示】
【発明が解決しようとする課題】
【０００６】
特許文献１に示す従来の冷凍空調装置は、空調、冷蔵、冷凍が１つの冷凍サイクルで構成されているため、空調の排熱を冷蔵あるいは冷凍に使えるが、最初からシステムとして最適になるように部品が構成されており、冷蔵負荷増加、冷凍負荷増加に対して設備拡張が容易にできないという問題点があった。
また、特許文献２及び特許文献３に示す構成では、最初からシステムとして最適になるように部品が構成されており、冷蔵負荷増加、冷凍負荷増加に対して設備拡張が容易にできないという問題点があった。
【０００７】
また、店内に設置された食品を冷蔵あるいは冷凍するショーケースと冷凍機（冷蔵、冷凍熱源ユニット）とが接続され、冷蔵負荷あるいは冷凍負荷が増加すると冷凍機を入れ替えるか、あるいは新たに冷凍機を増設する場合もあるが、これによると冷凍機の冷凍能力を増加させるためには多大な工事が発生するという問題点があった。
さらに、店内に設置された食品を冷蔵あるいは冷凍するショーケースと冷凍機（冷蔵、冷凍熱源ユニット）とが接続され、また、店内の空調を行う空調室内機（空調利用ユニット）と空調室外機（空調熱源ユニット）とが接続され、それぞれが完全に独立して設けられた空調装置と冷凍装置もあるが、この場合は空調装置の排熱は利用されていない。
【０００８】
本発明は、このような課題を解決するためになされたものであり、冷蔵負荷、冷凍負荷が増加した場合に、簡単に冷凍能力を増加させることのできる冷蔵、冷凍熱源ユニットを得ることを目的とする。
また、空調装置が併設してある場合に、その排熱を利用して冷凍能力を向上させることが容易にできる冷蔵、冷凍熱源ユニットを得ることを目的とする。
また、このような冷蔵、冷凍熱源ユニットを使用して冷凍能力を向上させる冷凍装置、冷凍空調装置を得ることを目的とする。
【課題を解決するための手段】
【０００９】
本発明の冷蔵、冷凍熱源ユニットは、圧縮機と、凝縮器と、液溜とをこの順序に配管接続し、また、圧縮機の上流側及び液溜の下流側に、それぞれ、配管を接続し、これらの配管の端部にショーケース等の負荷への入口側及び出口側となる負荷側接続口を接続した冷蔵、冷凍熱源ユニットであって、凝縮器及び液溜の間の配管及び液溜及び負荷側接続口の間の配管のうち、少なくとも一方の配管に、それぞれ、流れる冷媒を冷却する熱交換器を備えた拡張ユニットへの入口側及び出口側となる拡張ユニット接続口を設けたものである。
【発明の効果】
【００１０】
本発明の冷蔵、冷凍熱源ユニットは、凝縮器及び液溜の間の配管及び液溜及び負荷側接続口の間の配管のうち、少なくとも一方の配管に、それぞれ、拡張ユニットへの入口側及び出口側となる拡張ユニット接続口を設けたので、拡張ユニット接続口間の既設の配管を取外し、拡張ユニット接続口に熱交換器を備えた拡張ユニットを容易に取付けることができ、拡張ユニットを凝縮器及び液溜の間に取付けた場合は、凝縮器の容量が増加するため、冷蔵負荷、冷凍負荷の増加に際して、冷凍能力を増加でき、冷凍能力を増加させても冷凍サイクルとしての性能を維持することができる。
また、拡張ユニットを液溜及び負荷側接続口の間に取付けた場合は、冷媒の過冷却度を大きくでき、冷凍能力を増加できる。
また、空調装置が併設してある場合には、拡張ユニットでその排熱を利用して冷凍能力を向上させることができる。
【発明を実施するための最良の形態】
【００１１】
実施の形態１．
図１は、コンビニエンスストア等の店舗の空調装置、冷凍装置を示す構成図であり、店舗１４内に空調用吹出口１９及び冷蔵、冷凍利用ユニットである冷蔵用、冷凍用のショーケース１３がそれぞれ複数台配置されている。
空調用吹出口１９は、室内に空気を搬送する空調用吹出ダクト１８を介して空調利用ユニット１１に接続されており、この空調利用ユニット１１は、空調熱源ユニット１０に接続され、外気温度に応じて店舗１４内を冷房あるいは暖房している。即ち、空調熱源ユニット１０と空調利用ユニット１１とで空調装置を構成する。
冷蔵用、冷凍用のショーケース１３は、冷蔵、冷凍熱源ユニット１２に接続され、ショーケース１３内の食品や飲料を常時冷蔵あるいは冷凍している。即ち、冷蔵、冷凍熱源ユニット１２と冷凍利用ユニットである冷蔵用、冷凍用のショーケース１３とで冷凍装置を構成する。
なお、図１では、空調熱源ユニット１０が１つの空調利用ユニット１１に接続され、空調された空気を店舗１４内に搬送する構成を示したが、空調利用ユニット１１を直接天井などに設置する構成としてもよく、また、空調熱源ユニット１０と接続される空調利用ユニット１１及び冷蔵、冷凍熱源ユニット１２と接続される冷蔵用、冷凍用のショーケース１３はそれぞれ何台あっても構わない。
【００１２】
図２は、図１の冷蔵、冷凍利用ユニットである冷蔵用、冷凍用のショーケースと熱源である冷蔵、冷凍熱源ユニットとから構成される冷凍装置の冷媒回路図である。
本冷媒回路の構成を動作と共に説明する。
冷蔵、冷凍熱源ユニット１２と冷蔵用、冷凍用のショーケース１３とは、冷蔵、冷凍熱源ユニット１２の負荷側接続口３７、３７により配管接続される。
圧縮機２１により圧縮され高温高圧になった冷媒は、凝縮器２７にてファン２８の作用により凝縮し、液溜２６を経て、負荷側接続口３７に至る。負荷側接続口３７を経て膨張弁２３にて膨張し低温低圧冷媒になり、ショーケース１３の熱交換器２２にて蒸発し、負荷側接続口３７を経て圧縮機２１へ戻る。
【００１３】
ここで、凝縮器２７と液溜２６との間及び液溜２６と負荷側接続口３７との間には、それぞれ、後述の冷凍能力を増加する拡張ユニット３３（第１の拡張ユニット３３）を取付ける拡張ユニット接続口３６が設置されており、標準構成では拡張ユニット接続口３６に接続配管２０を取付け、拡張ユニット接続口３６間を接続配管２０で接続し、内部を冷媒が循環するように構成されている。
ここで、拡張ユニット接続口３６は、例えば、配管の端部に設けられた接続口であり、外面にネジ加工された端部とこの端部に嵌合され内面にネジ加工された環状の止め具とを備え、配管を接続する場合は、外面にネジ加工された配管の端部を接続口の端部に突き合わせ環状の止め具を回転移動させ両端部を接合、固定する。配管を取外す場合は、止め具を接続口３６側にネジ移動させ、配管を取外す。また、接続口３６は、上記のものに開閉弁機構を組合せ配管の着脱が自在で、内部の流れの開閉可能な操作弁とすれば一層有効である。
【００１４】
なお、拡張ユニット接続口３６及び接続配管２０は、図３のように凝縮器２７と液溜２６との間のみに設置されていてもよく、また、図４のように液溜２６と負荷側接続口３７との間のみに設置されていてもよい。
【００１５】
次に、上記の冷凍装置で冷蔵、冷凍負荷が増加した場合について説明する。
老齢化社会の進展にともなう冷凍食品などの増加あるいはコンビニエンスストアの大型化や大小様々な店舗形態があるドラッグストアの進展など、冷蔵、冷凍負荷は店舗１４によっても異なるし、経年的にも冷蔵、冷凍負荷が増加していく傾向にある。また、コンビニエンスストアは、店舗の統廃合のサイクルが短く、ある店舗に使われていた機器を別の店舗１４で使用することは、よく行われていることであり、そのとき前の店舗１４と冷蔵、冷凍負荷が異なると機器（特に冷凍、冷蔵熱源ユニット１２）をそのまま使うことができないという事態が発生することがあった。
【００１６】
機器の容量よりも負荷が小さい場合には同じ機器で対応できるため、店舗規模の違いなどで負荷が減少する場合には問題はないが、冷蔵負荷や冷凍負荷が増加する場合には容量が足りないという問題が発生する。
【００１７】
このような場合、図１１に示すように外付で拡張ユニット３５を取り付け、冷凍装置の冷凍能力を増加させる方法が考えられる。しかし、一般的にはこれを行うためには配管の切断やロウ付けなどの多大な工事が発生し、多大なコストがかかる。また、工事の最中は冷蔵、冷凍運転を止めなければならないため、ショーケース１３内の冷蔵食品や冷凍食品を一旦、バックヤードの冷蔵庫や冷凍庫に移動しなければならなくなり手間がかかる。
【００１８】
図５は、本実施の形態での冷凍能力の増加方法について示した冷媒回路図である。
本例は、拡張ユニットである第１の拡張ユニット３３を液溜２６と負荷側接続口３７間の拡張ユニット接続口３６、３６に接続した例であるが、負荷が増加した場合は、拡張ユニット接続口３６、３６との間に接続されていた接続配管２０を取り外し、そこに拡張ユニット用熱交換器である第１の拡張ユニット用熱交換器２７ｂを取り付け、高圧液冷媒が第１の拡張ユニット用熱交換器２７ｂ内を流通するようにする。このようにすると、送風機である拡張ユニット用ファン２８ｂの効果で冷媒の過冷却度が大きくなり、冷凍能力を増加させることができる。
また、第１の拡張ユニット３３の取付けは、接続配管２０を取り外して第１の拡張ユニット用熱交換器２７ｂ及び拡張ユニット用ファン２８ｂを取り付けるだけの作業であるため、能力増強作業が短時間で終了し、冷蔵食品あるいは冷凍食品の品質を落とすことなく、能力増強を行うことができる。なお、この場合は、第１の拡張ユニット用熱交換器２７ｂとしてはプレートフィン熱交換器などが使われる。
【００１９】
図６は、凝縮器２７と液溜２６との間に設置する例であり、同じく拡張ユニット接続口３６、３６間に接続されていた接続配管２０を取り外し、そこに第１の拡張ユニット３３を構成する第１の拡張ユニット用熱交換器２７ｂと拡張ユニット用ファン２８ｂを取付け、高圧二相冷媒が第１の拡張ユニット用熱交換器２７ｂ内を流通するようにしたものである。
このようにすると、凝縮器２７の容量が増加するため、冷蔵負荷あるいは冷凍負荷の増加に際し、冷凍能力を増加させても冷凍サイクルとしての性能を維持することができる。また、夏期に能力不足になることも防ぐことができる。
この場合も、第１の拡張ユニット３３の取付けは、接続配管２０を取り外して第１の拡張ユニット用熱交換器２７ｂと拡張ユニット用ファン２８ｂを取り付けるだけの作業であるため、能力増強作業が短時間で終了し、冷蔵食品あるいは冷凍食品の品質を落とすことなく、能力増強を行うことができる。
【００２０】
第１の拡張ユニット用熱交換器２７ｂにて冷媒を冷やす媒体は空気に限ったものではなく、他のものでもよい。
図７は、第１の拡張ユニット用熱交換器２７ｂに水を流し、冷凍能力を増加させる構成を示しており、水冷式の冷凍装置の場合などは水路を分岐するだけでよく、工事が簡単にすむ。なお、この場合、第１の拡張ユニット用熱交換器２７ｂはプレート式熱交換器などが用いられる。また、水以外のブラインやその他の媒体（冷凍装置を流れる冷媒とは別の冷媒等）であってもよいのは言うまでもない。
図６の場合も同様に空気の代りに水等で冷却してもよい。
なお、圧縮機２１が能力不足になる対策としては、予め圧縮機２１の電動機にインバータを接続し、電動機を可変速可能とし、冷凍装置内の基板の書き換え可能なメモリに圧縮機２１の最大周波数を記憶させ、この最大周波数を書き換えることで圧縮機２１の最大能力を増加させる構造とする。
【００２１】
本冷蔵、冷凍熱源ユニット１２の第１の拡張ユニット３３を接続する拡張ユニット接続口３６は、先に記載したように、溶接することなしに配管の着脱が可能なものまたはこれに開閉弁を加えた操作弁としたが、その他にもフレア加工を施した配管を容易に着脱できるフレアプラグ、または熱を加えるだけで着脱できるロウ付け加工可能なもの等、配管交換時に熱源ユニット側の配管をカッター等の手段により強制的に切断する作業を伴わずに、配管を容易に取外し、接続できるものであればどんなものでも構わない。即ち、拡張ユニット接続口３６は、配管の接続、取外しが機械的または熱的に着脱自在なものであればよい。更にこれに開閉弁を組合せたものが望ましい。
このような拡張ユニット接続口３６によれば、冷凍能力を増加させる場合には、接続配管２０を取外し、代りに第１の拡張ユニット３３の配管を接続するのが容易である。
【００２２】
また、第１の拡張ユニット３３は、第１の拡張用熱交換器２７ｂと拡張ユニット用ファン２８ｂとを備え、該第１の拡張用熱交換器２７ｂにおいて、流れる冷媒を空気で冷却するので、特別な冷却媒体を用意しなくても冷却が可能であり、容易に冷却できる。
【００２３】
また、第１の拡張ユニット３３を、第１の拡張用熱交換器２７ｂを備え、該第１の拡張用熱交換器２７ｂにおいて、流れる冷媒を水、ブラインまたは別の冷媒で冷却するようにすれば、空気冷却より冷却能力を増加することができる。
【００２４】
また、第１の拡張ユニット３３を拡張ユニット接続口３６に取付け、第１の拡張ユニット３３を、圧縮機２１、凝縮器２７、液溜２６及び負荷側接続口３７を収容する筐体とは別の筐体に収容するようにすれば、冷凍能力を増加する際に、第１の拡張ユニット３３の追加が容易となる。
【００２５】
また、圧縮機２１にインバータを接続し、圧縮機２１の電動機の回転速度を可変とし、圧縮機２１の容量を増加可能としたので、冷凍能力を増加する際、圧縮機２１の能力が不足しても容量増加が可能である。
【００２６】
また、本冷蔵、冷凍熱源ユニット１２と冷蔵、冷凍利用ユニットであるショーケース等１３とを負荷側接続口３７により配管接続することにより、簡単に冷凍能力を増加できる冷凍装置が得られる。
【００２７】
実施の形態２．
図８は、空調装置の排熱を利用して、冷凍装置の冷凍能力を増強する構成を示すコンビニエンスストア等の店舗の空調装置及び冷凍装置から構成する冷凍空調装置の構成図である。この場合、拡張ユニットである第２の拡張ユニット３４には空調装置（空調装置の空調熱源ユニット１０）からの配管と冷凍装置（冷凍装置の冷蔵、冷凍熱源ユニット１２）からの配管の両方が接続される。
【００２８】
図９は、この冷凍空調装置の冷媒回路の一例を示している。以下に、図９により本冷凍空調装置の構成及び冷凍サイクルの動作につき説明する。
【００２９】
空調装置側の冷媒回路について説明する。なお、回路の動作は室内の負荷状態、外気温などによって異なるが、ここでは、基本的な動作のみにつき説明する。空調用圧縮機２１ａにより圧縮され高温高圧になった冷媒は、四方弁３１によって暖房運転の場合と冷房運転の場合に流路を切り替えられる。暖房運転の場合は、冷媒は四方弁３１を通った後、負荷側接続口３７ａを経て、空調室内用熱交換器２２ａへ送られて凝縮し、負荷側接続口３７ａ及び空調用液溜２６ａを経て、空調用膨張弁２３ａ（図９の右側の空調用膨張弁２３ａであり、左側のものは、開とする）にて膨張して低温低圧冷媒になり、空調熱源用熱交換器２７ａにて空調用室外熱交換器用ファン２８ａの作用により外気と熱交換して蒸発し、四方弁３１を経て空調用圧縮機２１ａへ戻る。
また、空調用液溜２６ａを出た冷媒の一部は、室内装置用の拡張ユニット接続口３６ａを通り、拡張ユニットである第２の拡張ユニット３４に入り、拡張ユニットの膨張弁２３ｃで膨張して低温低圧冷媒になり、第２の拡張ユニット用熱交換器２７ｃにて冷蔵、冷凍熱源ユニット１２側の冷媒回路を流れる高温の冷媒と熱交換をして蒸発し、空調用圧縮機２１ａへ戻る（戻り側の拡張ユニット接続口３６ａは開）。
【００３０】
また、冷房運転の場合は、冷媒は四方弁３１を通った後、空調熱源用熱交換器２７ａにて空調用室外熱交換器用ファン２８ａの作用により外気と熱交換して凝縮し、空調用液溜２６ａを経て、空調用膨張弁２３ａにて膨張し低温低圧冷媒になり、負荷側接続口３７ａを経て、空調室内用熱交換器２２ａにて空調用室内熱交換器用ファン２５ａの作用にて蒸発し、四方弁３１及び空調用液溜２６ａを経て空調用圧縮機２１ａへ戻る。
また、空調用液溜２６ａの上流側で冷媒の一部は、室内装置用の拡張ユニット接続口３６ａを通り、第２の拡張ユニット３４に入り、拡張ユニットの膨張弁２３ｃで膨張して低温低圧冷媒になり、拡張ユニット用熱交換器である第２の拡張ユニット用熱交換器２７ｃにて冷蔵、冷凍熱源ユニット１２側の冷媒回路を流れる高温の冷媒と熱交換をして蒸発し、空調用圧縮機２１ａへ戻る。
【００３１】
次に、冷凍装置側の冷媒回路について説明する。
圧縮機２１により圧縮され高温高圧になった冷媒は、凝縮器２７にてファン２８の作用により冷媒の一部が凝縮した後、液溜２６を経て、拡張ユニット接続口３６から第２の拡張ユニット３４に入り、第２の拡張ユニット用熱交換器２７ｂへ送られ、空調装置側冷媒回路を流れる低温の冷媒と熱交換をして残りの冷媒が凝縮して過冷却され、負荷側接続口３７を経て、膨張弁２３にて膨張し低温低圧冷媒になり、ショーケース１３の熱交換器２２にて蒸発し、負荷側接続口３７を経て、圧縮機２１ｂへ戻る。冷媒が過冷却されることにより、冷凍能力が増加する。
【００３２】
なお、空調室内用熱交換器２２ａには空調用室内熱交換器用ファン２５ａが設けられ店舗１４内へ空気を吹き出す役割を果たしている。空調室内用熱交換器２２ａ及び空調用室内熱交換器用ファン２５ａは天井裏などに設置されたりあるいは天井に埋め込まれたり壁掛けや床面据え付けタイプのいずれでもよい。
空調用膨張弁２３ａ（図９の左側の空調用膨張弁２３ａ）は空調熱源ユニット１０側に設けるものとするが、場合によっては空調利用ユニット１１側、即ち、天井裏などに設けてもよい。
空調よりも低温である冷蔵もしくは冷凍用のショーケース１３の熱交換器２２は、店舗１４内に配置されたオープンショーケースやリーチインショーケースの内部に収納され、冷蔵用または冷凍用の膨張弁２３はその近くに設置されている。
【００３３】
このように、拡張ユニットである第２の拡張ユニット３４においては、第２の拡張ユニット用熱交換器２７ｃの室内熱源ユニット１０側の配管は、室内熱源ユニット１０に設けた拡張ユニット接続口３６ａ、３６ａに接続され、入り側の配管に拡張ユニットの膨張弁２３ｃを設ける。また、第２の拡張ユニット用熱交換器２７ｃの冷蔵、冷凍熱源ユニット１２側の配管は、冷蔵、冷凍熱源ユニット１２側の拡張ユニット接続口３６、３６に接続される。
そこで、通常は、室内熱源ユニット１０に設けた拡張ユニット接続口３６ａ、３６ａは閉じておき、また、冷蔵、冷凍熱源ユニット１２側の拡張ユニット接続口３６、３６は、実施の形態１に記したように、接続配管２０を接続しておき、冷凍能力を増加させる必要がある場合に、接続配管２０を取外し、図９のように第２の拡張ユニット３４を接続すれば、拡張ユニット接続口３６ａ、３６ａ、３６、３６による接続であるため、容易に冷凍能力の向上が可能である。
【００３４】
また、第２の拡張ユニット３４は、冷蔵、冷凍熱源ユニット１２の凝縮器２７と液溜２６間の拡張ユニット接続口３６、３６に接続してもよく、同様の効果がある。
【００３５】
図８では、第２の拡張用ユニット３４が空調熱源ユニット１０と冷蔵、冷凍熱源ユニット１２とは別に設置され、それらと配管で接続されている構成を示したが、図１０に示すように、空調熱源ユニット１０と冷蔵、冷凍熱源ユニット１２とは一体に形成されていてもよく、また、第２の拡張用ユニット３４は、空調熱源ユニット１０または冷蔵、冷凍熱源ユニット１２の筐体内に内蔵されていてもよい。
また、圧縮機２１の電動機にインバータを接続し、必要に応じて圧縮機２１の能力を増加させるのは、実施の形態１の場合と同様である。
【００３６】
本冷凍空調装置は、１台の拡張ユニットである第２の拡張ユニット３４を接続した冷蔵、冷凍熱源ユニット１２及びショーケース１３等の負荷を負荷側接続口３７により配管接続し、ショーケース１３等を冷却する冷凍装置と、空調用圧縮機２１ａ及び空調熱源用熱交換器２７ａ等を有する空調熱源ユニット１０並びに空調室内用熱交換器２２ａ等を有する空調利用ユニット１１からなり、室内を空調する空調装置とを備えた冷凍空調装置であって、冷凍装置の高圧液冷媒または高圧二相冷媒と、空調装置の低圧二相冷媒とが第２の拡張ユニットの第２の拡張用熱交換器で熱交換するので、空調装置の排熱を利用して冷凍能力を向上させることができる。
【００３７】
また、第２の拡張用熱交換器２７ｃを、冷凍装置の冷蔵、冷凍熱源ユニット１２の筐体又は空調装置の空調熱源ユニット１０の筐体に内蔵させたので、コンパクトな構成となる。
【図面の簡単な説明】
【００３８】
【図１】実施の形態１に係るコンビニエンスストアなどの店舗の空調装置、冷凍装置を示す構成図である。
【図２】図１の冷凍装置の冷媒回路図である。
【図３】図１の別の冷凍装置の冷媒回路図である。
【図４】図１のさらに別の冷凍装置の冷媒回路図である。
【図５】図１の冷凍装置の冷凍能力を増加した冷媒回路図である。
【図６】図１の冷凍装置の冷凍能力を増加した別の冷媒回路図である。
【図７】図１の冷凍装置の冷凍能力を増加したさらに別の冷媒回路図である。
【図８】実施の形態２に係る冷凍装置の構成図である。
【図９】図８の冷凍空調装置の冷媒回路図である。
【図１０】実施の形態２に係る冷凍装置の別の構成図である。
【図１１】コンビニエンスストアなどの店舗の空調装置、冷凍装置の構成を説明する説明図である。
【符号の説明】
【００３９】
１０  空調熱源ユニット、１１  空調利用ユニット、１２  冷蔵、冷凍熱源ユニット、１３  ショーケース（冷蔵、冷凍利用ユニット）、２１  圧縮機、２１ａ  空調用圧縮機、２２ａ  空調室内用熱交換器、２６  液溜、２７  凝縮器、２７ａ  空調熱源用熱交換器、２７ｂ  第１の拡張用熱交換器、２７ｃ  第２の拡張用熱交換器、２８ｂ  送風機、３３、３４  拡張ユニット、３６  拡張ユニット接続口、３７  負荷側接続口。
【図１】
2006207989.tif 000003
【図２】
2006207989.tif 000004
【図３】
2006207989.tif 000005
【図４】
2006207989.tif 000006
【図５】
2006207989.tif 000007
【図６】
2006207989.tif 000008
【図７】
2006207989.tif 000009
【図８】
2006207989.tif 000010
【図９】
2006207989.tif 000011
【図１０】
2006207989.tif 000012
【図１１】
2006207989.tif 000013